(57)【要約】    【課題】  本発明は、所定数のキートップ部をスリットにより区画したキートップシートを、機器筐体の操作面に取付けて成る電子機器を対象とし、キートップシートの大型化を招くことなく、個々のキートップ部における表示エリアを、可及的に大きく確保することの可能な電子機器の提供を目的とする。    【解決手段】  本発明においては、キートップシートのスリットにおいて特定のキートップ部を画成する部位に、特定のキートップ部の押下に基づいて動作する機能を示唆する記号を表現する記号造形部を形成している。    【選択図】  図３
2008251494.tif 000002
【特許請求の範囲】
【請求項１】
所定数のキートップ部をスリットにより区画したキートップシートを、機器筐体の操作面に取付けて成る電子機器であって、
前記キートップシートの前記スリットにおいて特定のキートップ部を画成する部位に、前記特定のキートップ部の押下に基づいて動作する機能を示唆する記号を表現する記号造形部を形成したことを特徴とする電子機器。
【請求項２】
前記キートップシートの裏面にラバーシートを接着するとともに、前記ラバーシートに前記キートップシートの前記スリットと嵌合する突条部を形成したことを特徴とする請求項１記載の電子機器。
【発明の詳細な説明】
【技術分野】
【０００１】
本発明は、所定数のキートップ部をスリットによって区画したキートップシートを、機器筐体の操作面に取付けて成る電子機器に関するものである。
【背景技術】
【０００２】
昨今、電子機器の一例である携帯電話機には、隣合うキートップ部をスリットにより区画したキートップシートを筐体の操作面に取付けることで、外観形状の可及的な薄型化を図る構成が提供されている(例えば、特許文献１参照)。
【０００３】
図７に示した携帯電話機Ａは、スライドユニット(図示せず)を介して開閉自在に連結された本体筐体Ｂと蓋体筐体Ｃとを具備し、上記蓋体筐体Ｃの外面には受話部Ｃｒおよび液晶表示部Ｃｄ等が設けられ、上記本体筐体Ｂの操作面Ｂｆには、送話部Ｂｍとともに所定数のキートップ部Ｓｋ、Ｓｋ…等が設けられている。
【０００４】
図７および図８に示す如く、上記キートップ部Ｓｋ、Ｓｋ…は、例えば金属の薄板から成るキートップシートＳに形成したスリットＳｓ、Ｓｓ…によって区画形成されており、個々のキートップ部Ｓｋの表面には、該キートップ部Ｓｋの押下に基づいて動作する機能を示唆する複数の記号、具体的には数字(「１」、「２」…等)、日本語文字(「あ」「か
」…等)、アルファベット(「ａ」「ｂ」…等)、記号(「．」「＠」等)、およびアイコン
等が記入されている。
【０００５】
また、上記キートップシートＳには、キートップ部Ｓｋ、Ｓｋ…の形成された範囲の裏面に、ラバーシート(キーパッド)Ｒが一体成形されており、さらに、上記キートップシートＳは、裏面外周の貼り代に接着した両面接着テープ(図示せず)を介して、本体筐体Ｂにおける操作面Ｂｆの所定位置に固定設置されている。
【特許文献１】特開２００６−２１６４７３号公報
【発明の開示】
【発明が解決しようとする課題】
【０００６】
ところで、上述した構成の携帯電話機Ａにおいて、上記キートップシートＳは、本体筐体Ｂの形態により大きさ(面積)が規制されており、さらに上述の如く裏面外周が貼り代として使用されるため、キートップシートＳ上においてキートップ部Ｓｋ、Ｓｋ…を形成するエリアが制限され、個々のキートップＳｋの大きさ(記入エリア)も小さくなるために、各キートップＳｋの表面に記号を小さく記入せざるを得ず、もって記号の視認性の低下を招来する不都合があった。
【０００７】
本発明は上記実状に鑑みて、キートップシートの大型化を招くことなく、個々のキートップ部における表示エリアを、可及的に大きく確保することの可能な電子機器の提供を目的とする。
【課題を解決するための手段】
【０００８】
請求項１の発明に関わる電子機器は、所定数のキートップ部をスリットにより区画したキートップシートを、機器筐体の操作面に取付けて成る電子機器であって、キートップシートのスリットにおいて特定のキートップ部を画成する部位に、特定のキートップ部の押下に基づいて動作する機能を示唆する記号を表現する記号造形部を形成したことを特徴としている。
【０００９】
また、請求項２の発明に関わる電子機器は、請求項１の発明に関わる電子機器において、キートップシートの裏面にラバーシートを接着するとともに、前記ラバーシートに前記キートップシートの前記スリットと嵌合する突条部を形成したことを特徴としている。
【発明の効果】
【００１０】
請求項１の発明に関わる電子機器によれば、キートップシートにおいてキートップ部を区画するスリットの要所に記号造形部を形成し、この記号造形部によってキートップ部の押下に基づく機能を示唆することで、個々のキートップ部に記入すべき情報量を削減させることができ、もってキートップシートの大型化を伴うことなく、個々のキートップ部における実質的な表示エリアの増大を図ることが可能となる。
【００１１】
また、請求項２の発明に関わる電子機器によれば、キートップシートの裏面にラバーシートを接着することで、上記キートップシートの強度を増大させることができ、併せてスリットからの異物の侵入を未然に防止することができる。
【００１２】
さらに、ラバーシートに形成した突条部を、キートップシートのスリットに嵌合させることで、使用者の爪がスリットに引っ掛かる等の不具合を未然に防止でき、もって良好なキートップ部の操作性を確保することが可能となる。
【発明を実施するための最良の形態】
【００１３】
以下、実施例を示す図面に基づいて、本発明を詳細に説明する。  
図１は、電子機器の一態様である携帯電話機に本発明を適用した実施例を示しており、このスライド式の携帯電話機１は、スライドユニット(図示せず)を介して開閉自在に連結された本体筐体２と蓋体筐体３とを具備し、上記蓋体筐体３の外面には、受話部３Ｒおよび液晶表示部３Ｄ等が設けられている。
【００１４】
一方、上記本体筐体２の操作面２Ｆには、送話部２Ｍとともに、所定数のキートップ部１１ｋ、１１ｋ…等が設けられており、これらキートップ部１１ｋ、１１ｋ…は、例えばステンレス材の薄板から成るキートップシート１１に形成したスリット１１ｓ、１１ｓ…により区画形成されている。
【００１５】
上記キートップシート１１は、図２〜図４に示す如く、その裏面にラバーシート(キー
パッド)１２を一体成形(あるいは貼付け)することでシートキー１０を構成しており、上
記シートキー１０は、キートップシート１１における裏面外周の貼り代に接着した両面接着テープ(図示せず)を介して、本体筐体２における操作面２Ｆの所定位置に固定設置されている。
【００１６】
図２〜図５に示す如く、上記シートキー１０におけるキートップシート１１の各スリット１１ｓ、１１ｓ…は、上記キートップシート１１の左右方向に延び、かつ上下４段に亘って形成されており、各キートップ部１１ｋの左右側縁と下縁とを囲むことで、合計１２個のキートップ部１１ｋ、１１ｋ…を区画形成している。
【００１７】
ここで、図５に示す如く、キートップシート１１において最上列に形成されたキートップ部１１ｋ(a)、１１ｋ(b)、１１ｋ(c)は、それぞれ押下に基づいて数字の「１」、「２
」、「３」を入力する機能を付与されている。
【００１８】
同様に、キートップ部１１ｋ(d)、１１ｋ(e)、１１ｋ(f)は、それぞれ数字の「４」、
「５」、「６」を入力する機能、キートップ部１１ｋ(g)、１１ｋ(h)、１１ｋ(i)は、そ
れぞれ数字の「７」、「８」、「９」を入力する機能を与えられており、さらにキートップ部１１ｋ(j)は記号「＊」、キートップ部１１ｋ(k)は数字の「０」、キートップ部１１ｋ(l)は記号「＃」を入力する機能を与えられている。
【００１９】
一方、上記キートップシート１１における最上列のキートップ部１１ｋ(a)、１１ｋ(b)、１１ｋ(c)を区画しているスリット１１ｓには、上記キートップ部１１ｋ(a)の左方縁部を画成する部位に、該キートップ部１１ｋ(a)の押下に基づいて数字の「１」を入力する
機能を示唆する記号、すなわち数字の「１」をシンボリックに表現した記号造形部１１ｓ(a)が形成されている。
【００２０】
また、キートップ部１１ｋ(ｂ)の左方縁部を画成する部位には、数字の「２」を表現した記号造形部１１ｓ(ｂ)が形成され、さらに、キートップ部１１ｋ(ｃ)の左方縁部を画成する部位には、数字の「３」を表現した記号造形部１１ｓ(ｃ)が形成されている。
【００２１】
同様にして、キートップ部１１ｋ(d)、１１ｋ(e)、１１ｋ(f)を区画しているスリット
１１ｓには、各キートップ部の左方縁部を画成する部位に、それぞれ数字の「４」、「５」、「６」をシンボライズした記号造形部１１ｓ(d)、１１ｓ(e)、１１ｓ(f)が形成され
、キートップ部１１ｋ(g)、１１ｋ(h)、１１ｋ(i)を区画しているスリット１１ｓには、
各キートップ部の左方縁部を画成する部位に、それぞれ数字の「７」、「８」、「９」をシンボライズした記号造形部１１ｓ(g)、１１ｓ(h)、１１ｓ(i)が形成され、さらに、キ
ートップ部１１ｋ(ｊ)、１１ｋ(ｋ)、１１ｋ(ｌ)を区画しているスリット１１ｓには、各キートップ部の左方縁部を画成する部位に、それぞれ記号「＊」、数字の「０」、記号「＃」をシンボライズした記号造形部１１ｓ(j)、１１ｓ(k)、１１ｓ(l)が形成されている
。
【００２２】
ここで、図２〜図４に示す如く、上記キートップシート１１における各キートップ部１１ｋ、１１ｋ…の表面には、上述した「１」〜「９」、「＊」、「０」、「＃」以外の、それぞれのキートップ部１１ｋに付与されている機能を表わす日本語文字(「あ」「か」
…等)、アルファベット(「ａ」「ｂ」…等)、記号(「．」「＠」等)、およびアイコン等
が記入(形成)されている。
【００２３】
一方、上記シートキー１０におけるラバーシート１２は、図３に示す如く、キートップシート１においてキートップ部１１ｋ、１１ｋ…の形成された範囲の裏面に固設されており、上記キートップシート１１における裏面外周(貼り代)を残す態様で矩形の平面形状を呈している。
【００２４】
また、図４および図６に示す如く、上記ラバーシート１２の表面には、キートップシート１１におけるキートップ部１１ｋ、１１ｋ…の裏面と密接するフラット部２ｆと、上記キートップシート１１におけるスリット１１ｓ、１１ｓ…に嵌合するリブ部(突条部)１２ｌ、１２ｌ…が突出形成されており、さらに各リブ部１２ｌ、１２ｌ…の要所には、キートップシート１１の記号造形部１１ｓ(ａ)〜１１ｓ(l)と嵌合する記号部１２ｌ(ａ)〜１
２１(l)が突出形成されている。
【００２５】
上述した如き構成によれば、キートップシート１１においてキートップ部１１ｋ、１１ｋ…を区画するスリット１１ｓの要所に、記号造形部１１ｓ(ａ)〜１１ｓ(ｌ)を形成し、これら記号造形部１１ｓ(ａ)〜１１ｓ(ｌ)によって、各キートップ部１１ｋの押下に基づく機能を示唆することで、個々のキートップ部１１ｋ、１１ｋ…に記入すべき情報量を削減させることができる。
【００２６】
この結果、キートップシート１１の大型化を伴うことなく、個々のキートップ部１１ｋ、１１ｋ…における実質的な表示エリアの増大を図ることができ、各キートップ部１１ｋの表面に記号を大きく記入することで視認性の向上を図ることが可能となる。
【００２７】
また、上述した構成によれば、キートップシート１１の裏面にラバーシート１２を接着することで、上記キートップシート１１の強度を増大させることができ、併せてスリット１１ｓ、１１ｓ…からの異物の侵入を未然に防止することが可能となる。
【００２８】
さらに、ラバーシート１２に形成したリブ部１２ｌ、１２ｌ…を、キートップシート１１のスリット１１ｓ、１１ｓ…に嵌合させることで、使用者の爪がスリット１１ｓに引っ掛かる等の不具合を未然に防止でき、もって良好なキートップ部１１ｋ、１１ｋ…の操作性を確保することが可能となる。
【００２９】
なお、上述した実施例においては、キートップシート１１の各スリット１１ｓの記号造形部１１ｓ(ａ)〜１１ｓ(ｌ)に、それぞれ「１」〜「９」、「０」、「＊」、「＃」をシンボライズさせているが、各記号造形部１１ｓ(ａ)〜１１ｓ(ｌ)において表現される記号は、特定のキートップ部の押下に基づいて動作する機能を示唆するものであれば、携帯電話機の仕様等に基づいて任意に設定し得ることは勿論である。
【００３０】
また、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、所定数のキートップ部をスリットにより区画したキートップシートを、機器筐体の操作面に取付けて成る様々な電子機器に対しても、本発明を極めて有効に適用し得ることは言うまでもない。
【図面の簡単な説明】
【００３１】
【図１】本発明に関わる電子機器の一実施例である携帯電話機を示す外観斜視図。
【図２】図１の携帯電話機におけるシートキーを示す斜視図。
【図３】(ａ)および(ｂ)は、図２のシートキーを示す平面図および側面図。
【図４】図２のシートキーにおけるキートップシートとラバーシートの分解斜視図。
【図５】図２のシートキーにおけるキートップシートの平面図。
【図６】図２のシートキーにおけるラバーシートの平面図。
【図７】従来の電子機器の一例である携帯電話機を示す外観斜視図。
【図８】(ａ)および(ｂ)は、従来の携帯電話機におけるシートキーを示す平面図および側面図。
【符号の説明】
【００３２】
１…携帯電話機(電子機器)、
２…本体筐体(機器筐体)、
２Ｆ…操作面、
１０…シートキー、
１１…キートップシート、
１１ｋ…キートップ部、
１１ｓ…スリット、
１１ｓ(a)、１１ｓ(b)、１１ｓ(c)…記号造形部、
１１ｓ(d)、１１ｓ(e)、１１ｓ(f)…記号造形部、
１１ｓ(g)、１１ｓ(h)、１１ｓ(i)…記号造形部、
１１ｓ(j)、１１ｓ(k)、１１ｓ(l)…記号造形部、
１２…ラバーシート、
１２ｆ…フラット部、
１２ｌ…リブ部(突条部)。
【図１】
2008251494.tif 000003
【図２】
2008251494.tif 000004
【図３】
2008251494.tif 000005
【図４】
2008251494.tif 000006
【図５】
2008251494.tif 000007
【図６】
2008251494.tif 000008
【図７】
2008251494.tif 000009
【図８】
2008251494.tif 000010